(57)【要約】      （修正有）【課題】商品を購入しない者にＱＲコードを読取られることを防止すること。【解決手段】商品や包装容器の外面に貼付される販売促進用ラベルであって、表面にＱＲコード１１ａが印刷され、裏面が接着面１３となった台紙１０と、前記台紙の表面に重ねて積層されるシート２０と、を有し、前記シートは、前記ＱＲコードの全部又は一部を遮蔽することを特徴とする。【選択図】  図１
2004309885.tif 000002
【特許請求の範囲】
【請求項１】
商品や包装容器の外面に貼付される販売促進用ラベルであって、
表面にＱＲコードが印刷され、裏面が接着面となった台紙と、
前記台紙の表面に重ねて積層されるシートと、を有し、
前記シートは、前記ＱＲコードの全部又は一部を遮蔽することを特徴とする販売促進用ラベル。
【請求項２】
表面にＱＲコードが印刷され、裏面が接着面となった台紙と、
前記台紙の表面に重ねて積層される透明シートと、を有し、
前記透明シートには、前記ＱＲコードの一部を覆うように、遮蔽印刷が施されていることを特徴とする販売促進用ラベル。
【請求項３】
請求項１又は２に記載の販売促進用ラベルであって、
前記ＱＲコードは中央のデータと複数の角部に位置する位置検知マークとからなり、前記遮蔽印刷は、前記ＱＲコードの位置検知マークの少なくとも一つを隠すことを特徴とする販売促進用ラベル。
【請求項４】
請求項１又は２に記載の販売促進用ラベルであって、
前記ＱＲコードは中央のデータ面と複数の角部に位置する位置検知マークとからなり、前記遮蔽印刷は前記データ面の３０％以上を隠すことを特徴とする販売促進用ラベル。
【発明の詳細な説明】
【０００１】
【発明の属する技術分野】
本発明はＱＲコードを有し、該ＱＲコードを読取可能な状態及び読取不可能な状態にして商品の販売促進を図る販売促進用ラベルに関する。
【０００２】
【従来の技術】
現在、物流や自動化ラインの商品管理の分野において、情報を小さなスペースに格納する手段としてＱＲ（Ｑｕｉｃｋ  Ｒｅｓｐｏｎｓｅ）コードが使用されている。ＱＲコードは、横方向にのみ情報をもつバーコードと異なり、縦横の二方向に情報をもつ二次元コードであり、バーコードと同様の大きさで１０倍の情報を格納することができる。また、文字、数字、アルファベット等の様々な大容量の情報をもコード化することができる。
【０００３】
一方、ＱＲコードの読取は専用の読取装置（スキャナ）により行われていたが、最近では、携帯電話等に付帯されるカメラの性能が向上したことにより、携帯電話のカメラにてＱＲコードを撮像し、画面上に表示されたＱＲコードを解析して情報を取得することができるようになった。
【０００４】
このため、商品の表面に、各購入者に割り当てられた独自のＵＲＬ等の情報を持ったＱＲコードを付すことで、商品の購入者が携帯電話のカメラにてＱＲコードを撮影するように構成し、商品の販売促進を図ることも考えられる。
【０００５】
【発明が解決しようとする課題】
しかしながら、商品の表面にＱＲコードを付して商品を店頭に並べると、商品を購入した者だけでなく、商品を購入しない者でも、携帯電話に付帯されるカメラにより撮影ができてしまい、商品の販売促進の目的を達成できない。
【０００６】
そこで本発明の目的は、商品を購入しない者にＱＲコードを読取られることを防止することである。
【０００７】
【課題を解決するための手段】
上記目的を達成するための、本発明の代表的な構成は、商品や包装容器の外面に貼付される販売促進用ラベルであって、表面にＱＲコードが印刷され、裏面が接着面となった台紙と、前記台紙の表面に重ねて積層されるシートと、を有し、前記シートは、前記ＱＲコードの全部又は一部を遮蔽することを特徴とする。
【０００８】
前記台紙の表面に重なる前記シートにより、前記台紙に印刷される前記ＱＲコードが遮蔽されるため、前記シートの外部からの前記ＱＲコードの読取りを防止することができる。
【０００９】
【発明の実施の形態】
（第１実施形態）
本発明の第１実施形態について、図を用いて説明する。図１は第１実施形態の販売促進用ラベルの断面図であり、図２は第１実施形態の販売促進用ラベルの斜視図及びＱＲコードの説明図であり、図３は透明シートに施される遮蔽印刷の説明図である。
【００１０】
（販売促進用ラベルＡの構成）
図１に示すように、本発明の販売促進用ラベルＡは、ＱＲコード１１ａが印刷された台紙１０と、前記ＱＲコード１１ａを外部から見えないように遮蔽印刷２２ａが施される透明シート２０とから構成される。
【００１１】
台紙１０は、図１に示すように、ＱＲコード１１ａが印刷される印刷層１１と、紙やＰＥＴ（ポリエチレンテレフタレート）、ＰＳ（ポリスチレン）等の樹脂シート等から構成される基材層１２と、不図示の商品に販売促進用ラベルＡを貼り付けるための接着層１３と、から構成される。尚、印刷層１１の表面には、シリコン等の離型剤を塗布し、透明シート２０を台紙１０から剥がれやすく構成してもよい。
【００１２】
また、透明シート２０は、表面から台紙１０が透けて見えるようにＰＥＴ等の透明の樹脂で構成されるフィルム層２１と、フィルム層２１を透して見えるＱＲコード１１ａの一部を遮蔽するための遮蔽印刷２２ａが施される印刷層２２と、台紙１０と透明シート２０とを貼り付けるための粘着層２３と、から構成される。
【００１３】
以上の構成により販売促進用ラベルＡは、図２（ａ）に示すように、ＱＲコード１１ａが遮蔽印刷２２ａに一部を遮蔽された状態で商品に付される。この状態において遮蔽印刷２２ａに一部を隠されてはいるが、ＱＲコード１１ａが表面から見えるため、ＱＲコード１１ａの存在を商品の購入者に認識させることはできる。一方、ＱＲコード１１ａの一部が遮蔽印刷２２ａによって隠されているため、携帯電話のカメラによって撮像することによってＱＲコード１１ａから情報を取得することはできない。このため、商品を購入しない者が、携帯電話によりＱＲコード１１ａの情報を取得することを防止することができる。
【００１４】
次に販売促進用ラベルＡの使用方法について説明する。図２（ｂ）に示すように、販売促進用ラベルＡの透明シート２０を台紙１０から剥がすと、遮蔽印刷２２ａもＱＲコード１１ａから離間する。すると台紙１０上にＱＲコード１１ａの全体が現れるため、販売促進用ラベルＡが付された商品を購入した者は、図２（ｃ）に示すように、カメラ付の携帯電話Ｍ等によりＱＲコード１１ａを撮像することにより、ＱＲコード１１ａに含まれる情報を取得することができる。
【００１５】
（ＱＲコード１１ａ）
次に台紙１０に印刷されるＱＲコード１１ａの特徴について、図２（ｄ）を用いて説明する。
【００１６】
図２（ｄ）に示すように、台紙１０に印刷されるＱＲコード１１ａは縦横に情報を有する正方形のコードであり、正方形の４隅のうち３箇所の位置検知マークｍと、データ部ｄとから構成される。
【００１７】
ＱＲコード１１ａのデータの読取りにおいては、この３箇所に必ず配置される位置検知マークｍの位置を基準として行われる。このため、ＱＲコード１１ａが傾いていても、位置検知マークｍを読取りソフト内で補正することにより、データ部ｄの情報を読取ることは可能である。また、ＱＲコードにはデータの一部が読み取れなかったり黒白を誤って読んでしまった場合でも、その誤りを訂正するための冗長コードが付加される。このため、最大３０％のデータが破損・汚損しても、情報を読取ることができる。
【００１８】
（遮蔽印刷２２ａ）
透明シート２０には、ＱＲコード１１ａの一部が見えるように、また反面、外部からＱＲコード１１ａが読取られないように、以下のような遮蔽印刷２２ａが施される。透明シート２０に印刷される遮蔽印刷２２ａの詳細な説明を、図３を用いて行う。
【００１９】
まず、図３（ａ）に示すように、位置検知マークｍの少なくとも１箇所を隠すように遮蔽印刷２２ａを施すことが考えられる。前述のように、ＱＲコード１１ａは、３箇所の位置検知マークｍを基準としてＱＲコードの姿勢を決定し、データ部ｄを読取るため、位置検知マークｍの位置が決まらないとデータ部ｄの情報を読取ることができない。
【００２０】
このため、位置検知マークｍを少なくとも１箇所隠すように遮蔽印刷２２ａを施すと、商品を購入して透明シート２０を剥がさない限りはＱＲコード１１ａのデータを読取ることができず、商品を購入しない者がＱＲコード１１ａを読取ることを防止することができる。尚、位置検知マークｍの２箇所、又は３箇所全部を隠すように、遮蔽印刷２２ａを施してもよい。
【００２１】
また、図３（ｂ）に示すように、データ部ｄの３０％以上の面積を隠すように遮蔽印刷２２ａを施すことが考えられる。前述のように、ＱＲコード１１ａはデータ部ｄの最大３０％を破損・汚損しても読取り可能に構成されている。このため、データ部ｄの３０％以上を透明シート２０の遮蔽印刷２２ａにより隠せば、商品を購入しない者がＱＲコード１１ａを読取ることを防止することができる。
【００２２】
また、図３（ｃ）に示すように、データ部ｄ又は位置検知マークｍの一方だけでなく、データ部ｄと位置検知マークｍの双方に渡って、ＱＲコード１１ａの一部を隠す印刷を施してもよい。
【００２３】
尚、遮蔽印刷２２ａの模様は、図３においては白塗りに斜線を付した画像としたが、これに限るものではなく、ＱＲコード１１ａが読取れない模様であればよく、全部が白塗り又は黒塗りの画像や、ＱＲコードと異なる他の模様であってもよい。また、透明シート２０は完全な透明ではなく、半透明であってもよい。
【００２４】
このように、印刷層２２に遮蔽印刷２２ａを施せば、商品を購入して透明シート２０を剥がさない限りは、ＱＲコード１１ａのデータを読取ることができず、商品を購入しない者がＱＲコード１１ａを読取ることを防止することができる。
【００２５】
（第２実施形態）
本発明の第２実施形態について、図を用いて説明する。図４は第２実施形態の販売促進用ラベルの斜視図である。第１実施形態においては、ＱＲコードの一部を遮蔽するとしたが、本実施形態においては、ＱＲコードの全部をシートにより隠す構成としている。
【００２６】
図４に示すように、第２実施形態の販促用ラベルＢは、ＱＲコード３１ａが印刷された台紙３０と、前記ＱＲコード３１ａを遮蔽する不透明の遮蔽シート４０とから構成される。
【００２７】
台紙３０は、ＱＲコード３１ａが印刷される印刷層と、該印刷層の下層に配設され、紙やＰＥＴ（ポリエチレンテレフタレート）、ＰＳ（ポリスチレン）等の樹脂シート等から構成される基材層と、該基材層の下層に配設され、不図示の商品に販売促進用ラベルＢを貼り付けるための接着層と、から構成される。尚、前記印刷層の表面には、シリコン等の離型剤を塗布し、遮蔽シート４０を剥がしやすく構成してもよい。
【００２８】
また、遮蔽シート４０は、台紙３０上の少なくともＱＲコード３１ａの全部を隠蔽する白色等の不透明の紙や樹脂シートにより構成される印刷層と、該印刷層の下層に配設され台紙３０と遮蔽シート４０とを貼り付けるための粘着層と、から構成される。
【００２９】
以上の構成により、台紙３０上のＱＲコード３１ａは、ＱＲコード３１ａの全部が遮蔽シート４０により隠蔽されている。このため、商品の購入者は、遮蔽シート４０を台紙３０から剥がさない限り、ＱＲコード３１ａを携帯電話等のカメラにより撮像することができない。このため、商品を購入しない者にＱＲコードを読取られることを防止することができる。
【００３０】
【発明の効果】
以上のように、本発明の販売促進用ラベルにおいては、表面にＱＲコードが印刷され、裏面が接着面となった台紙と、前記台紙の表面に重ねて積層されるシートと、を有し、前記シートは、前記ＱＲコードの全部又は一部を遮蔽することを特徴とする。
【００３１】
前記台紙の表面に重なる前記シートにより、前記台紙に印刷される前記ＱＲコードが遮蔽されるため、前記シートの外部からの前記ＱＲコードの読取りを防止することができる。このため、商品を購入しない者にＱＲコードを読取られることを防止することができる。
【図面の簡単な説明】
【図１】第１実施形態における販売促進用ラベルの断面図。
【図２】第１実施形態における販売促進用ラベルの斜視図及びＱＲコードの説明図。
【図３】第１実施形態において、透明シートに施される遮蔽印刷の説明図。
【図４】第２実施形態における販売促進用ラベルの斜視図。
【符号の説明】
Ａ  …販促用ラベル、Ｂ  …販促用ラベル、Ｍ  …携帯電話、
ｄ  …データ部、ｍ  …位置検知マーク、
１０  …台紙、１１  …印刷層、１１ａ  …ＱＲコード、１２  …基材層、１３  …接着層、
２０  …透明シート、２１  …フィルム層、２２  …印刷層、２２ａ  …遮蔽印刷、
２３  …粘着層、３０  …台紙、３１ａ  …ＱＲコード、４０  …遮蔽シート
【図１】
2004309885.tif 000003
【図２】
2004309885.tif 000004
【図３】
2004309885.tif 000005
【図４】
2004309885.tif 000006